(57)【特許請求の範囲】
【請求項１】
来客を通知するためのドアホンと、前記ドアホンによる通知に応答するための室内ホンと、前記ドアホン及び前記室内ホンを管理するための管理サーバと、前記ドアホン及び前記室内ホンを前記管理サーバに接続するＩＰ（Ｉｎｔｅｒｎｅｔ  Ｐｒｏｔｏｃｏｌ）ネットワークとを有し、
前記管理サーバは、少なくとも前記ドアホンと前記室内ホンとＰＣ（Ｐｅｒｓｏｎａｌ  Ｃｏｍｐｕｔｅｒ）と外部ＩＰネットワークに接続された外部接続機器とを含む接続機器の登録管理を行うための接続機器登録テーブルと、前記ドアホンからの接続をどの接続機器に接続するのかを管理するための接続先管理テーブルとを含み、
前記管理サーバが、前記ＩＰネットワークを通して前記接続機器登録テーブルに登録された前記ドアホンから接続要求が送られてきた時に前記接続先管理テーブルに登録された接続機器に対して接続要求を行うことを特徴とするインタホンシステム。
【請求項２】
前記管理サーバは、来客時の前記ドアホンから前記室内ホンへの接続をＳＩＰ（Ｓｅｓｓｉｏｎ  Ｉｎｉｔｉａｔｉｏｎ  Ｐｒｏｔｏｃｏｌ）プロトコルにて行う手段と、前記ドアホンから前記室内ホンへの音声及び映像と前記室内ホンから前記ドアホンへの音声とをそれぞれＲＴＰ（ｒｅａｌ- ｔｉｍｅ  ｔｒａｎｓｐｏｒｔ  ｐｒｏｔｏｃｏｌ）パケットによって送信する手段とを含むことを特徴とする請求項１記載のインタホンシステム。
【請求項３】
前記ＩＰネットワークに接続されかつ前記接続機器登録テーブル及び前記接続先管理テーブルの作成・更新を行う情報端末を含むことを特徴とする請求項１または請求項２記載のインタホンシステム。
【請求項４】
前記管理サーバを前記外部ＩＰネットワークに接続する手段と、前記接続先機器管理テーブルに前記外部接続機器を登録する手段とを含むことを特徴とする請求項１から請求項３のいずれか記載のインタホンシステム。
【請求項５】
前記ＳＩＰプロトコルのＲＥＧＩＳＴＥＲメッセージを受信した時に前記接続機器登録テーブルを更新する手段を含むことを特徴とする請求項１から請求項４のいずれか記載のインタホンシステム。
【発明の詳細な説明】
【０００１】
【発明の属する技術分野】
本発明はインタホンシステムに関し、特に住宅等で広く普及・導入されているインタホンシステムやテレビインタホンシステムにおける通信方法に関する。
【０００２】
【従来の技術】
従来、インタホンシステムにおいては、親機及び子機等の各機器が専用の物理インタフェースにて接続されており、その上位レベルのインタフェースもシステム毎に異なる専用のものを用いている。
【０００３】
また、インタホンシステムにおいては、来客があったことを報せるために外部との通信を可能とするシステムもある。このシステムとしては、特開２０００−３０８０４４号公報あるいは特開平６−２４４７８７号公報に記載されたシステムがある。
【０００４】
この従来のシステムにおいて、特開２０００−３０８０４４号公報に記載のシステムでは電子メールを送信することで来客を外部に報せており、特開平６−２４４７８７号公報に記載のシステムでは携帯電話を呼出すことで来客を外部に報せている。
【０００５】
【発明が解決しようとする課題】
しかしながら、上述した従来のシステムでは、専用インタフェースを使用しているので、そのシステムと同一インタフェースをもつシステムしか増設することができないため、拡張性がないという問題がある。
【０００６】
また、従来のシステムでは、専用インタフェースを使用しているので、そのシステムと同一インタフェースをもつシステム同士しか相互接続ができないため、相互接続性がないという問題がある。
【０００７】
一方、従来のシステムでは、電子メールの送信あるいは携帯電話ネットワークシステムへのアクセスが必要なため、外部との接続に際してインタフェース変換が必要になるという問題がある。
【０００８】
また、電子メールを送信することで来客を外部に報せる場合には、電子メールによって来客を記録したことしか通知しないため、電子メールを送信する場合にリアルタイム性がないという問題がある。
【０００９】
さらに、携帯電話を呼出すことで来客を外部に報せる場合には、携帯電話ネットワークシステムへのアクセスしかできないため、携帯電話ネットワークシステムへアクセスする際に携帯電話とのみしか通信することができないという問題がある。
【００１０】
そこで、本発明の目的は上記の問題点を解消し、拡張を容易に行うことができるインタホンシステムを提供することにある。
【００１１】
また、本発明の他の目的は、他のシステムと相互接続することができるインタホンシステムを提供することにある。
【００１２】
さらに、本発明の別の目的は、インタフェースを変えることなく、外部との間の通信を行うことができるインタホンシステムを提供することにある。
【００１３】
【課題を解決するための手段】
本発明によるインタホンシステムは、来客を通知するためのドアホンと、前記ドアホンによる通知に応答するための室内ホンと、前記ドアホン及び前記室内ホンを管理するための管理サーバと、前記ドアホン及び前記室内ホンを前記管理サーバに接続するＩＰ（Ｉｎｔｅｒｎｅｔ  Ｐｒｏｔｏｃｏｌ）ネットワークとを備え、
前記管理サーバは、少なくとも前記ドアホンと前記室内ホンとＰＣ（Ｐｅｒｓｏｎａｌ  Ｃｏｍｐｕｔｅｒ）と外部ＩＰネットワークに接続された外部接続機器とを含む接続機器の登録管理を行うための接続機器登録テーブルと、前記ドアホンからの接続をどの接続機器に接続するのかを管理するための接続先管理テーブルとを具備し、
前記管理サーバが、前記ＩＰネットワークを通して前記接続機器登録テーブルに登録された前記ドアホンから接続要求が送られてきた時に前記接続先管理テーブルに登録された接続機器に対して接続要求を行っている。
【００１４】
本発明による他のインタホンシステムは、上記の構成において、前記管理サーバが、来客時の前記ドアホンから前記室内ホンへの接続をＳＩＰ（Ｓｅｓｓｉｏｎ  Ｉｎｉｔｉａｔｉｏｎ  Ｐｒｏｔｏｃｏｌ）プロトコルにて行う手段と、前記ドアホンから前記室内ホンへの音声及び映像と前記室内ホンから前記ドアホンへの音声とをそれぞれＲＴＰ（ｒｅａｌ- ｔｉｍｅ  ｔｒａｎｓｐｏｒｔ  ｐｒｏｔｏｃｏｌ）パケットによって送信する手段とを具備している。
【００１５】
本発明による別のインタホンシステムは、上記の構成のほかに、前記管理サーバを前記外部ＩＰネットワークに接続する手段と、前記接続先機器管理テーブルに前記外部接続機器を登録する手段とを具備している。
【００１６】
すなわち、本発明の本発明によるインタホンシステムは、ＩＰネットワークを使用したインタホンシステムにおけるドアホンと室内ホン及び管理サーバとの間を接続するインタフェースをＥｔｈｅｒｎｅｔ（Ｒ）（ＩＥＥＥ８０２．３／Ｅｔｈｅｒｎｅｔ（Ｒ）  II）または無線ＬＡＮ（８０２. １１ｂ）のＬＡＮ接続としている。
【００１７】
また、本発明によるインタホンシステムでは、上位層にＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を使用し、各機器間の接続プロトコルにＳＩＰ（Ｓｅｓｓｉｏｎ  Ｉｎｉｔｉａｔｉｏｎ  Ｐｒｏｔｏｃｏｌ：ＲＦＣ２５４３）を使用している。
【００１８】
さらに、本発明によるインタホンシステムでは、各接続機器がＳＩＰユーザエージェントとして動作し、管理サーバがＳＩＰプロキシサーバとして動作する機能を設け、ドアホンやＰＣ（Ｐｅｒｓｏｎａｌ  Ｃｏｍｐｕｔｅｒ）等の接続機器を管理するための管理サーバ機能を設けている。
【００１９】
さらにまた、本発明によるインタホンシステムでは、メディア転送プロトコルにＲＴＰ（Ｒｅａｌ−ｔｉｍｅ  Ｔｒａｎｓｐｏｒｔ  Ｐｒｏｔｏｃｏｌ：ＲＦＣ１８８９）を使用し、また外部との通信に関して管理サーバからＩＰネットワークを介して同一プロトコルを使用して接続する機能を設けている。
【００２０】
上記のＥｔｈｅｒｎｅｔ（Ｒ）または無線ＬＡＮのＬＡＮ接続は、一般に普及している規格に沿った下位層プロトコルを実行し、またＴＣＰ／ＩＰ並びにＳＩＰ・ＲＴＰの使用は、ＲＦＣで決められた上位層プロトコルにしたがって他機器との接続を実行する。よって、ＬＡＮ接続と上位層プロトコルに関して同一の規格にしたがった製品であれば、拡張を容易にし、他のシステムとの相互接続を行えるという効果が得られる。
【００２１】
また、上記の管理サーバ機能は、ＳＩＰにしたがってドアホンやＰＣからの登録要求によって各接続機器が接続可能状態であるかの管理及び来客時の接続要求をどの接続機器に対して行うかの管理を実行し、ドアホンは来客時にボタンが押されたことによって接続要求を管理サーバに対してＳＩＰにしたがって行い、管理サーバは接続機器管理によって管理された機器に対して接続要求を行う。
【００２２】
接続要求を受けた機器は接続を受け、ＳＩＰによって応答を返送することでドアホンと接続機器とが接続状態となり、ＲＴＰによる音声や映像の送信が開始され、接続機器からのＳＩＰによる切断要求によって接続状態が解除されるという動作を実行する。よって、接続機器が室内ホン、ＰＣ、外部ＩＰネットワークに接続されたものに対しても、同一手順での接続を行うことができるという効果が得られる。
【００２３】
【発明の実施の形態】
次に、本発明の実施例について図面を参照して説明する。図１は本発明の一実施例によるインタホンシステムの構成を示すブロック図である。図１において、インタホンシステム１は来客者が扱うドアホン１１と、室内で応対する室内ホン１２と、室内ホン１２と同等の機能を有するソフトウェアを搭載したＰＣ（Ｐｅｒｓｏｎａｌ  Ｃｏｍｐｕｔｅｒ）１３と、各機器の接続を管理する管理サーバ１４とから構成されている。
【００２４】
インタホンシステム１において、ドアホン１１、室内ホン１２、ＰＣ１３はそれぞれＬＡＮ（Ｌｏｃａｌ  Ａｒｅａ  Ｎｅｔｗｏｒｋ）（ＩＰネットワーク) １１０を介して管理サーバ１４に接続されている。管理サーバ１４はＳＩＰ（Ｓｅｓｓｉｏｎ  Ｉｎｉｔｉａｔｉｏｎ  Ｐｒｏｔｏｃｏｌ：ＲＦＣ２５４３）プロトコルにおいてＳＩＰプロキシサーバとして動作する。
【００２５】
また、インタホンシステム１は外部ＩＰネットワーク１００を介して外部機器（ＰＣ，ＩＰ電話）２に接続され、外部ＩＰネットワーク１００及びＶｏＩＰ（Ｖｏｉｃｅ  ｏｖｅｒ  Ｉｎｔｅｒｎｅｔ  Ｐｒｏｔｏｃｏｌ）機器４を介して外部機器（電話）３に接続されている。この場合、管理サーバ１４は外部ＩＰネットワーク１００に接続され、外部機器２，３との接続も管理する。
【００２６】
ここで、外部機器２は外部ネットワーク１００に接続される外部機器で、ＳＩＰ及びＲＴＰ（Ｒｅａｌ−ｔｉｍｅ  Ｔｒａｎｓｐｏｒｔ  Ｐｒｏｔｏｃｏｌ：ＲＦＣ１８８９）での接続が可能なＰＣあるいはＩＰ電話である。外部機器３は通常の電話機で、ＶｏＩＰ機器４はＶｏＩＰ業者等でＳＩＰ及びＲＴＰから通常の電話機への変換接続あるいはその逆変換を行う。
【００２７】
図２は図１のドアホン１１の構成を示すブロック図である。図２おいて、ドアホン１１は来客者が押すボタン１１１と、ＳＩＰによる登録あるいは接続のプロトコル制御を司るＳＩＰ制御部１１２と、音声あるいは映像のエンコーディング・デコーディングとそのパケット化とを行うＲＴＰ制御部１１３と、ＳＩＰあるいはＲＴＰ等をＩＰパケットにてＬＡＮ１１０を介して送受信するためのＬＡＮ制御部１１４と、来客者の音声を拾うマイク１１５と、来客者の映像をキャッチするためのカメラ１１６と、対向接続機器からの音声を再生するためのスピーカ１１７とから構成されている。ＬＡＮ制御部１１４にはＥｔｈｅｒｎｅｔ（Ｒ）（ＩＥＥＥ８０２．３／Ｅｔｈｅｒｎｅｔ（Ｒ）  II）または無線ＬＡＮ（８０２．１１ｂ）が接続されている。
【００２８】
図３は図１の室内ホン１２の構成を示すブロック図である。図３において、室内ホン１２は応対者が応対する際に押す応対ボタン１２１と、ＳＩＰによる登録あるいは接続のプロトコル制御を司るＳＩＰ制御部１２２と、音声あるいは映像のエンコーディング・デコーディングとそのパケット化とを行うＲＴＰ制御部１２３と、ＳＩＰあるいはＲＴＰ等をＩＰパケットにてＬＡＮ１１０を介して送受信するためのＬＡＮ制御部１２４と、応対者の音声を拾うマイク１２５と、ドアホン１１からの映像を表示するためのモニタ１２６と、ドアホン１１からの音声を再生するためのスピーカ１２７とから構成されている。
【００２９】
図４は図１の管理サーバ１４の構成を示すブロック図である。図４において、管理サーバ１４はソフトウェアによってＰＣ（図示せず）上にて実現される管理サーバ機能１４１と、管理サーバ機能１４１が参照あるいは更新しかつ管理サーバ１４が管理する対象機機を登録しておく接続機器登録テーブル１４２と、管理サーバ機能１４１が参照あるいは更新しかつドアホン１１からの接続をどの接続機器に接続するのかを管理する接続先管理テーブル１４３と、ＳＩＰによる登録あるいは接続のプロトコル制御を司るＳＩＰ制御機能１４４とから構成されている。
【００３０】
図５は図２に示すドアホン１１の動作を示す図である。この図５を参照してドアホン１１の動作について説明する。
【００３１】
来客者がボタン１１１を押すと、ボタン１１１はボタン押下信号（ａ）をＳＩＰ制御部１１２に通知する。ＳＩＰ制御部１１２はＬＡＮ制御部１１４にＳＩＰプロトコルのＩＮＶＩＴＥメッセージ（ｂ）を渡し、ＬＡＮ制御部１１４はＩＰパケット（ｃ）にて管理サーバ１４へ送信する。ＬＡＮ制御部１１４は管理サーバ１４から受信したＩＰパケット（ｄ）をＳＩＰプロトコルのＩＮＶＩＴＥ応答（ｅ）としてＳＩＰ制御部１１２に渡す。
【００３２】
ＳＩＰ制御部１１２は通信中状態となり、ＲＴＰ制御部１１３へメディア通信開始指示（ｆ）を与える。ＲＴＰ制御部１１３はマイク１１５による音声信号及びカメラ１１６による映像信号（ｇ）をＲＴＰパケット（ｈ）に変換してＬＡＮ制御部１１４に渡す。
【００３３】
ＬＡＮ制御部１１４はＩＰパケット（ｉ）としてＩＮＶＩＴＥ応答（ｅ）にて通知された室内ホン１２等の接続先向けに送出される。また、ＬＡＮ制御部１１４は室内ホン１２等の接続先から受信したＩＰパケット（ｊ）をＲＴＰパケット（ｋ）としてＲＴＰ制御部１１３に渡す。ＲＴＰ制御部１１３は音声信号（ｌ）に変換してスピーカ１１７に送り、スピーカ１１７にて接続先からの音が再生される。
【００３４】
図６は図３に示す室内ホン１２の動作を示す図である。この図６を参照して室内ホン１２の動作について説明する。
【００３５】
ＬＡＮ制御部１２４は管理サーバ１４から受信したＩＰパケット（ａ）をＳＩＰプロトコルのＩＮＶＩＴＥ（ｂ）としてＳＩＰ制御部１２２に渡す。ＳＩＰ制御部１２２は来客者があったことを意味する音（ｃ）をスピーカ１２７にて再生する。
【００３６】
来客者に応対するために、応答ボタン１２１が押下されると、応答ボタン１２１は応答ボタン押下信号（ｄ）をＳＩＰ制御部１２２に通知する。ＳＩＰ制御部１２２はＬＡＮ制御部１２４にＳＩＰプロトコルのＩＮＶＩＴＥ応答（ｅ）を渡し、ＬＡＮ制御部１２４はＩＰパケット（ｆ）にて管理サーバ１４へ送信する。それと同時に、ＳＩＰ制御部１２２はＲＴＰ制御部１２３にメディア通信開始指示（ｇ）を与えると、ＲＴＰ制御部１２３はマイク１２５による音声信号（ｈ）をＲＴＰパケット（ｉ）に変換してＬＡＮ制御部１２４に渡す。
【００３７】
ＬＡＮ制御部１２４はＩＰパケット（ｊ）として、ＩＮＶＩＴＥ（ｂ）にて通知されたドアホン１１向けに送出される。また、ＬＡＮ制御部１２４はドアホン１１から受信したＩＰパケット（ｋ）をＲＴＰパケット（ｌ）としてＲＴＰ制御部１２３に渡す。ＲＴＰ制御部１２３は映像信号及び音声信号（ｍ）に変換してそれぞれモニタ１２６とスピーカ１２７とに送り、モニタ１２６とスピーカ１２７とによってドアホン１１からの映像と音声とが再生される。
【００３８】
図７は図４の管理サーバ１４の動作を示す図である。この図７を参照して管理サーバ１４の動作について説明する。
【００３９】
ＳＩＰ制御機能１４４はドアホン１１からＳＩＰプロトコルのＩＮＶＩＴＥメッセージ（ａ）を受信すると、来客通知（ｂ）を管理サーバ機能１４１に送る。管理サーバ機能１４１はドアホン１１が接続機器登録テーブル１４２に登録されている機器かを確認（ｃ）し、さらに来客時の接続先機器を接続先管理テーブル１４３を参照（ｄ）して決定し、決定した接続先の情報を含めた接続要求（ｅ）をＳＩＰ制御機能１４４に送る。
【００４０】
ＳＩＰ制御機能１４４は接続要求（ｅ）の情報を基に接続先機器宛にＳＩＰプロトコルのＩＮＶＩＴＥメッセージ（ｆ）を送信する。ここで、接続機器登録テーブル１４２及び管理テーブル１４３は管理サーバ１４上で作成・更新されるものであるが、接続機器登録テーブル１４２はドアホン１１及び室内ホン１２のＳＩＰ制御部１１２，１２２の自動登録機能によって自動更新される。
【００４１】
このように、本実施例では、ＩＰネットワーク（ＬＡＮ１００）を使用しているので、他のＩＰ機器（外部機器２及びＶｏＩＰ機器４等）とＩＰネットワーク（外部ＩＰネットワーク１００）を共用することができる。
【００４２】
また、本実施例では、ＳＩＰプロトコル及びＲＴＰプロトコルを使用しているので、ＳＩＰプロトコル及びＲＴＰプロトコルの相互接続性さえあれば、接続機器の増設はＩＰネットワーク（ＬＡＮ１００）に接続するだけでよいという効果もある。しかも、本実施例では、ＳＩＰプロトコル及びＲＴＰプロトコルで相互接続性のある外部機器（ＰＣあるいはＩＰ電話）２とも接続が可能である。
【００４３】
さらに、本実施例では、管理サーバ１４もＩＰネットワーク（ＬＡＮ１００）に接続されているため、ＩＰネットワーク（ＬＡＮ１００）に接続されるＰＣ１３から図４に示す接続機器登録テーブル１４２及び接続先管理テーブル１４３の作成・更新を行うこともできる。さらにまた、図３に示す室内ホン１２については、ＰＣ１３上で動作するソフトウェアの機能ブロックとしても構成することができる。
【００４４】
図８は本発明の他の実施例によるドアホンの動作を示す図である。図８において、本発明の他の実施例によるドアホン１１の基本的構成は、図２に示す本発明の一実施例によるドアホンと同様であるが、ドアホン１１及び室内ホン１２の管理サーバ１４への自動登録機能についてさらに工夫している。この場合、ドアホン１１及び室内ホン１２ともに機能が同じであるため、以下、ドアホン１１について説明する。
【００４５】
ＬＡＮ制御部１１４はＬＡＮ１１０への接続を認識（ａ）すると、ＳＩＰ制御部１１２にＬＡＮ接続通知（ｂ）を通知する。ＳＩＰ制御部１１２は管理サーバ１４に対してＳＩＰプロトコルのＲＥＧＩＳＴＥＲメッセージ（c ，ｄ）をＬＡＮ制御部１１４経由で送信する。
【００４６】
管理サーバ１４はＲＥＧＩＳＴＥＲメッセージ（ｄ）を受取ると、図４に示す接続機器管理テーブル１４２を更新してＳＩＰプロトコルのＲＥＧＩＳＴＥＲ応答メッセージ（ｅ）を返送する。ＳＩＰ制御部１１２がＬＡＮ制御部１１４経由で管理サーバ１４からＳＩＰプロトコルのＲＥＧＩＳＴＥＲ応答メッセージ（ｅ，ｆ）を受信すると、登録状態として動作する。
【００４７】
上記のように、本実施例では、接続機器の自動登録機能を有しているので、接続機器のＩＰネットワーク（ＬＡＮ１００）に対しての接続や取外しを自由に行うことができるという効果が得られる。
【００４８】
本構成において、室内ホン１２はＰＣ１３上のソフトウェアで構成してもよく、外部機器（ＰＣ, ＩＰ電話）２も上記と同様の動作を実行することによって、自動登録機能を動作させることができる。
【００４９】
このように、本発明においては、インタホンシステム１の接続機器各々の接続にＩＰネットワーク（ＬＡＮ１００）を使用することによって、他のＩＰ機器とＩＰネットワークを共用することができる。
【００５０】
また、本発明においては、インタホンシステム１の接続機器各々の接続手順にＳＩＰプロトコル及びＲＴＰプロトコルを使用することによって、接続機器をＩＰネットワーク（ＬＡＮ１００）に接続するだけで接続機器の増設を行うことができる。
【００５１】
この場合、本発明においては、ＳＩＰプロトコル及びＲＴＰプロトコルを使用しているため、ＳＩＰプロトコル及びＲＴＰプロトコルで相互接続性のある外部機器（ＰＣ，ＩＰ電話）２とも接続することができる。
【００５２】
さらに、本発明においては、管理サーバ１４もＩＰネットワーク（ＬＡＮ１００）に接続されているため、ＩＰネットワーク（ＬＡＮ１００）に接続されるＰＣ１３から接続機器登録テーブル１４２及び接続先管理テーブル１４３の作成・更新を行うことができる。
【００５３】
さらにまた、本発明においては、接続機器の自動登録機能を有しているため、接続機器のＩＰネットワーク（ＬＡＮ１００）に対しての接続や取外しを自由に行うことができる。
【００５４】
【発明の効果】
以上説明したように本発明のインタホンシステムは、来客を通知するためのドアホン及びドアホンによる通知に応答するための室内ホンを、ドアホン及び室内ホンを管理するための管理サーバにＩＰネットワークにて接続することによって、拡張を容易に行うことができるという効果が得られる。
【００５５】
また、本発明の他のインタホンシステムは、管理サーバが、来客時のドアホンから室内ホンへの接続をＳＩＰプロトコルにて行う手段と、ドアホンから室内ホンへの音声及び映像と室内ホンからドアホンへの音声とをそれぞれＲＴＰパケットによって送信する手段とを備えることによって、他のシステムと相互接続することができるという効果が得られる。
【００５６】
さらに、本発明の別のインタホンシステムは、管理サーバを外部ＩＰネットワークに接続する手段と、接続先機器管理テーブルに外部接続機器を登録する手段とを備えることによって、インタフェースを変えることなく、外部との間の通信を行うことができるという効果が得られる。
【図面の簡単な説明】
【図１】本発明の一実施例によるインタホンシステムの構成を示すブロック図である。
【図２】図１のドアホンの構成を示すブロック図である。
【図３】図１の室内ホンの構成を示すブロック図である。
【図４】図１の管理サーバの構成を示すブロック図である。
【図５】図２に示すドアホンの動作を示す図である。
【図６】図３に示す室内ホンの動作を示す図である。
【図７】図４の管理サーバの動作を示す図である。
【図８】本発明の他の実施例によるドアホンの動作を示す図である。
【符号の説明】
１  インタホンシステム
２  外部機器（ＰＣ，ＩＰ電話）
３  外部機器（電話）
４  ＶｏＩＰ機器
１１  ドアホン
１２  室内ホン
１３  ＰＣ
１４  管理サーバ
１００  外部ＩＰネットワーク
１１０  ＬＡＮ（ＩＰネットワーク)
１１１  ボタン
１１２，１２２  ＳＩＰ制御部
１１３，１２３  ＲＴＰ制御部
１１４，１２４  ＬＡＮ制御部
１１５，１２５  マイク
１１６，１２６  カメラ
１１７，１２７  スピーカ
１２１  応対ボタン
１４１  管理サーバ機能
１４２  接続機器管理テーブル
１４３  接続先管理テーブル
１４４  ＳＩＰ制御機能
【図１】
0003880450.tif 000002
【図２】
0003880450.tif 000003
【図３】
0003880450.tif 000004
【図４】
0003880450.tif 000005
【図５】
0003880450.tif 000006
【図６】
0003880450.tif 000007
【図７】
0003880450.tif 000008
【図８】
0003880450.tif 000009